(57)【要約】【課題】  患者に対する検査の判断、治療の方針、検査値の解釈や詳細な検査の方法、妥当性及び正確性の確認等を支援し、医療の進行を補助する。【解決手段】  検査委託業者側に検査依頼受付サーバ１０１、検査結果分析サーバ１０２、検査結果公開サーバ１０３、検査結果保存サーバ１０４を設置し、ネットワーク４００を介してＡ病院側の院内端末２０１〜２０３と、Ｂ病院側の院内端末３０１〜３０３とが接続されるようにし、検査依頼受付サーバ１０１により患者の検査データを含む検査依頼情報を受け付け、検査結果分析サーバ１０２により患者の検査依頼情報に含まれる検査データや医療機関外の検査データを集めて病態を分析し、検査結果公開サーバ１０３により、検査結果や分析された分析結果及び診断支援情報を複数の院内端末２０１〜２０３，３０１〜３０３に対して公開するようにした。【選択図】  図１
2005165886.tif 000002
【特許請求の範囲】
【請求項１】
検査委託業者側に設置された検査依頼受付サーバ、検査結果分析サーバ、検査結果公開サーバと、
複数の医療機関側に設置された複数の院内端末とを備え、
前記検査依頼受付サーバ、検査結果分析サーバ、検査結果公開サーバは、ネットワークを介して前記複数の院内端末に接続され、
前記検査依頼受付サーバは、前記複数の院内端末からの患者の検査データを含む検査依頼情報を受け付ける機能を有し、
前記検査結果分析サーバは、前記検査依頼受付サーバによって受け付けられた患者の検査依頼情報に含まれる検査データや医療機関外の検査データを集めて病態を分析する機能を有し、
前記検査結果公開サーバは、検査結果や前記検査結果分析サーバによって分析された分析結果及び診断支援情報を前記複数の院内端末に対して公開する機能を有している
ことを特徴とする検査情報分析システム。
【請求項２】
前記複数の医療機関側には、前記検査委託業者側に設置されているものと同じ前記検査依頼受付サーバ、検査結果分析サーバ、検査結果公開サーバが設置され、対応する各検査依頼受付サーバ、検査結果分析サーバ、検査結果公開サーバには同様のデータが蓄積され、さらにそのデータが同期していることを特徴とする請求項１に記載の検査情報分析システム。
【請求項３】
前記ネットワーク上には、前記検査委託業者側に設置されているものと同じ前記検査依頼受付サーバ、検査結果分析サーバ、検査結果公開サーバが設置され、対応する各検査依頼受付サーバ、検査結果分析サーバ、検査結果公開サーバには同様のデータが蓄積され、さらにそのデータが同期していることを特徴とする請求項１に記載の検査情報分析システム。
【請求項４】
ネットワーク上に設置された検査依頼受付サーバ、検査結果分析サーバ、検査結果公開サーバと、
複数の医療機関側に設置され、前記検査依頼受付サーバ、検査結果分析サーバ、検査結果公開サーバに対し前記ネットワークを介して接続される複数の院内端末とを備え、
前記検査依頼受付サーバは、前記複数の院内端末からの患者の検査データを含む検査依頼情報を受け付ける機能を有し、
前記検査結果分析サーバは、前記検査依頼受付サーバによって受け付けられた患者の検査依頼情報に含まれる検査データや医療機関外の検査データを集めて病態を分析する機能を有し、
前記検査結果公開サーバは、検査結果や前記検査結果分析サーバによって分析された分析結果及び診断支援情報を前記複数の院内端末に対して公開する機能を有している
ことを特徴とする検査情報分析システム。
【請求項５】
検査結果や分析結果及び診断支援情報を保存する検査結果保存サーバを備えることを特徴とする請求項１〜４のいずれかに記載の検査情報分析システム。
【請求項６】
検査委託業者側に設置された検査依頼受付サーバ、検査結果分析サーバ、検査結果公開サーバと、複数の医療機関側に設置された複数の院内端末とを有し、前記検査依頼受付サーバ、検査結果分析サーバ、検査結果公開サーバに対し、ネットワークを介して接続された前記複数の院内端末からの検査依頼情報を基に検査情報を分析する検査情報分析方法であって、
前記検査依頼受付サーバにより、前記複数の院内端末からの患者の検査データを含む検査依頼情報を受け付ける工程と、
前記検査結果分析サーバにより、前記検査依頼受付サーバによって受け付けられた患者の検査依頼情報に含まれる検査データや医療機関外の検査データを集めて病態を分析する工程と、
前記検査結果公開サーバにより、検査結果や前記検査結果分析サーバによって分析された分析結果及び診断支援情報を前記複数の院内端末に対して公開する工程とを有する
ことを特徴とする検査情報分析方法。
【請求項７】
前記複数の医療機関側には、前記検査委託業者側に設置されているものと同じ前記検査依頼受付サーバ、検査結果分析サーバ、検査結果公開サーバが設置され、
対応する各検査依頼受付サーバ、検査結果分析サーバ、検査結果公開サーバに同様のデータが蓄積される工程と、
さらにそのデータの同期がとられる工程とを有する
ことを特徴とする請求項６に記載の検査情報分析方法。
【請求項８】
前記ネットワーク上には、前記検査委託業者側に設置されているものと同じ前記検査依頼受付サーバ、検査結果分析サーバ、検査結果公開サーバが設置され、
対応する各検査依頼受付サーバ、検査結果分析サーバ、検査結果公開サーバに同様のデータが蓄積される工程と、
さらにそのデータの同期がとられる工程とを有する
ことを特徴とする請求項６に記載の検査情報分析方法。
【請求項９】
ネットワーク上に設置された検査依頼受付サーバ、検査結果分析サーバ、検査結果公開サーバと、複数の医療機関側に設置された複数の院内端末とを有し、前記検査依頼受付サーバ、検査結果分析サーバ、検査結果公開サーバに対し、ネットワークを介して接続された前記複数の院内端末からの検査依頼情報を基に検査情報を分析する検査情報分析方法であって、
前記検査依頼受付サーバにより、前記複数の院内端末からの患者の検査データを含む検査依頼情報を受け付ける工程と、
前記検査結果分析サーバにより、前記検査依頼受付サーバによって受け付けられた患者の検査依頼情報に含まれる検査データや医療機関外の検査データを集めて病態を分析する工程と、
前記検査結果公開サーバにより、検査結果や前記検査結果分析サーバによって分析された分析結果及び診断支援情報を前記複数の院内端末に対して公開する工程とを有する
ことを特徴とする検査情報分析方法。
【請求項１０】
検査結果保存サーバに検査結果や分析結果及び診断支援情報が保存される工程を有することを特徴とする請求項６〜９のいずれかに記載の検査情報分析方法。
【発明の詳細な説明】
【技術分野】
【０００１】
本発明は、医療機関側の端末と臨床検査の分析結果や次の詳細な検査及び診断のアドバイス等を与えるサーバとをネットワークで接続し、医療機関側からの問い合わせや確認等に対しオンラインで電子化された報告書等を送信する検査情報分析システムに関するものである。
【背景技術】
【０００２】
従来より、病院等の医療機関からの検査の委託を請け負う検査委託業者においては、医療機関から依頼された検査を血液等の指定の材料から分析し、その結果を数値や画像等で表した報告書で報告することが行われている。
【０００３】
ところで、報告書が紙であるため、そこに記載された情報を保存するためには、その内容を転載したり、情報データベース等へ入力したりする必要がある。また、検査結果を判定するための基準値や検査法は、時により変更される場合があり、更新が必要である。しかも、検査結果は、患者名、検査日、検査項目等が時系列に並ぶものが多く、入力が煩雑である。
【０００４】
さらには、他の検査項目の結果との比較や相関性等が示されていないため、検査結果の判断は医師に依存されることになる。また、専門医と専門医でない医師とはその結果の解釈に相違があり、その結果から次にどのような検査を行い、より詳細な判断をするためにどのような検査を進めていくかを決定する判断が異なっている。したがって、担当する医師が異なると、患者に対する治療方針や病態の解釈が異なることが多い。
【０００５】
ここで、報告書が作成されるまでの一例について説明する。たとえば、ある患者が体の不調で医師の診察を受けたとする。患者はここ一ヶ月、体の怠さと体重減少とを主張すると、医師が頭髪の生えぎわや目の状態を観察し、多少の黄疸を確認した。患者は飲酒歴があり、１リッター／日の量を接種していた。医師は、患者の腹部を触診し、肝臓が腫れていることから肝炎を疑った。医師は、検査依頼書へ、ＧＰＴ、ＧＯＴ、ＣＲＰ等の生化学検査とＨＢＶ及びＨＣＶの抗体を検査委託業者に依頼した。
【０００６】
２日後、再び患者は医師の診察を受けた。検査の結果は、ＧＰＴ１０２４、ＧＯＴ２１２８、ＣＲＰ１３６ｍｇ／ｄｌ、ＨＢＶ０、ＨＣＶ１．４という数字だった。医師は、予想した通り肝機能の異常を示す数値が高く、ＨＣＶ抗体が擬陽性を示していると解釈した。医師は、ＨＣＶの検査を行った検査委託業者へ他の検査結果の数値の状態とＨＣＶの検査結果の状態について問い合わせを行った。検査委託業者では、ＨＣＶ抗体検査について通常よりも測定感度が高い検査法で検査することを医師に進めると、医師が患者の肝臓で炎症が起こっていることを確認した。医師は、患者へ肝炎であることを宣言しその原因をさらに検査していくことを説明した。
【０００７】
医師は、ＨＣＶ−ＲＮＡと高感度なＨＣＶ抗体検査を検査委託業者に依頼した。翌日、検査結果が報告された。ＨＣＶ−ＲＮＡは陽性、ＨＣＶ抗体は陽性を示した。さらに翌日、患者は診察を受け、ＨＣＶと診断された。医師は、患者に家族歴と渡航歴を確認し、家族に同症状がないこと、輸血歴がないこと、過去１ヶ月以内に海外旅行をしたことを確認した。また、さらに患者の病態を解析するために、検査の方法について検査委託業者へ問い合わせを行い、ＨＣＶ−ＲＮＡ定量検査、ＨＣＶ−セロタイプ検査を行うよう確認し、同時に同検査の臨床的意義、検査の所用日数、検体採取の方法や保険適用できるかどうかの確認をした。
【０００８】
このように、医師は、患者の病態を診断するまで、患者の症状から段階を経て検査を進め、その検査結果に基づいて、問い合わせや確認を行いつつ診断をしていく。さまざまな問い合わせや確認は、医師の判断にとって極めて重要であり、医師の判断の正確性や検査の結果についてはその判断の確認と詳細な検査のアドバイスが必要となる。
【０００９】
ちなみに、病気等の診断、治療等に役立てることが可能なシステムとして、特許文献１では、各種の情報を医療情報データベースに登録可能とし、一元化したデータベースにアクセスする利用者が検索・閲覧をし、あるいはダウンロードを行うことができるようにしたシステムを提案している。
【００１０】
これは、医療・検査機関等に設置された医療情報登録手段と、医療情報登録手段から送信された医療機関等に関するデータやカルテ等の患者の記録データ、病気の症例を示すデータ、症例がない際の正常値のデータ等を格納する医療情報データベースと、登録された情報をオンライン上に表示させる情報表示手段と、情報を検索する医療情報検索手段と、情報を配信する手段とを備えるサーバシステムと、情報にアクセスするための閲覧者端末と、閲覧者がサーバ・システムに情報を送信するための情報送信手段とを備えたものである。
【００１１】
そして、たとえば症状の検索として、患者本人が自己の症状と類似の病気を検索すると、ＡＩ技術により患者のリクエストに最適なデータが提供される。また、たとえば専門医、医療機関の検索として、指定の病気に実績及び経験のある専門医、医療機関を検索すると、ＡＩ技術により患者のリクエストに最適なデータが提供される。
【特許文献１】特開２００２−５６１０４
【発明の開示】
【発明が解決しようとする課題】
【００１２】
このように、特許文献１に示されたシステムでは、医療に関する情報がデータベースに一元管理されているため、利用者がネットワークを介してその情報を容易に検索したり閲覧したりダウンロードしたりすることができる。
【００１３】
ところが、特許文献１に示されたシステムでは、単に医療に関する情報を検索したり閲覧したりダウンロードしたりするに止まり、医療に関する情報に基づき、医師への次の詳細な検査や診断のアドバイスを与えることが不可能となっている。
【００１４】
解決しようとする問題点は、医療に関する情報をデータベースに一元管理されるようにしても、その医療に関する情報に基づき、医師への次の詳細な検査や診断のアドバイスを与えることができないという点である。
【課題を解決するための手段】
【００１５】
本発明の検査情報分析システムは、検査委託業者側に設置された検査依頼受付サーバ、検査結果分析サーバ、検査結果公開サーバと、複数の医療機関側に設置された複数の院内端末とを備え、前記検査依頼受付サーバ、検査結果分析サーバ、検査結果公開サーバは、ネットワークを介して前記複数の院内端末に接続され、前記検査依頼受付サーバは、前記複数の院内端末からの患者の検査データを含む検査依頼情報を受け付ける機能を有し、前記検査結果分析サーバは、前記検査依頼受付サーバによって受け付けられた患者の検査依頼情報に含まれる検査データや医療機関外の検査データを集めて病態を分析する機能を有し、前記検査結果公開サーバは、検査結果や前記検査結果分析サーバによって分析された分析結果及び診断支援情報を前記複数の院内端末に対して公開する機能を有していることを特徴とする。
また、前記複数の医療機関側には、前記検査委託業者側に設置されているものと同じ前記検査依頼受付サーバ、検査結果分析サーバ、検査結果公開サーバが設置され、対応する各検査依頼受付サーバ、検査結果分析サーバ、検査結果公開サーバには同様のデータが蓄積され、さらにそのデータが同期しているようにすることができる。
また、前記ネットワーク上には、前記検査委託業者側に設置されているものと同じ前記検査依頼受付サーバ、検査結果分析サーバ、検査結果公開サーバが設置され、対応する各検査依頼受付サーバ、検査結果分析サーバ、検査結果公開サーバには同様のデータが蓄積され、さらにそのデータが同期しているようにすることができる。
本発明の検査情報分析システムは、ネットワーク上に設置された検査依頼受付サーバ、検査結果分析サーバ、検査結果公開サーバと、複数の医療機関側に設置され、前記検査依頼受付サーバ、検査結果分析サーバ、検査結果公開サーバに対し前記ネットワークを介して接続される複数の院内端末とを備え、前記検査依頼受付サーバは、前記複数の院内端末からの患者の検査データを含む検査依頼情報を受け付ける機能を有し、前記検査結果分析サーバは、前記検査依頼受付サーバによって受け付けられた患者の検査依頼情報に含まれる検査データや医療機関外の検査データを集めて病態を分析する機能を有し、前記検査結果公開サーバは、検査結果や前記検査結果分析サーバによって分析された分析結果及び診断支援情報を前記複数の院内端末に対して公開する機能を有していることを特徴とする。
また、検査結果や分析結果及び診断支援情報を保存する検査結果保存サーバを備えるようにすることができる。
本発明の検査情報分析方法は、検査委託業者側に設置された検査依頼受付サーバ、検査結果分析サーバ、検査結果公開サーバと、複数の医療機関側に設置された複数の院内端末とを有し、前記検査依頼受付サーバ、検査結果分析サーバ、検査結果公開サーバに対し、ネットワークを介して接続された前記複数の院内端末からの検査依頼情報を基に検査情報を分析する検査情報分析方法であって、前記検査依頼受付サーバにより、前記複数の院内端末からの患者の検査データを含む検査依頼情報を受け付ける工程と、前記検査結果分析サーバにより、前記検査依頼受付サーバによって受け付けられた患者の検査依頼情報に含まれる検査データや医療機関外の検査データを集めて病態を分析する工程と、前記検査結果公開サーバにより、検査結果や前記検査結果分析サーバによって分析された分析結果及び診断支援情報を前記複数の院内端末に対して公開する工程とを有することを特徴とする。
また、前記複数の医療機関側には、前記検査委託業者側に設置されているものと同じ前記検査依頼受付サーバ、検査結果分析サーバ、検査結果公開サーバが設置され、対応する各検査依頼受付サーバ、検査結果分析サーバ、検査結果公開サーバに同様のデータが蓄積される工程と、さらにそのデータの同期がとられる工程とを有するようにすることができる。
また、前記ネットワーク上には、前記検査委託業者側に設置されているものと同じ前記検査依頼受付サーバ、検査結果分析サーバ、検査結果公開サーバが設置され、対応する各検査依頼受付サーバ、検査結果分析サーバ、検査結果公開サーバに同様のデータが蓄積される工程と、さらにそのデータの同期がとられる工程とを有するようにすることができる。
本発明の検査情報分析方法は、ネットワーク上に設置された検査依頼受付サーバ、検査結果分析サーバ、検査結果公開サーバと、複数の医療機関側に設置された複数の院内端末とを有し、前記検査依頼受付サーバ、検査結果分析サーバ、検査結果公開サーバに対し、ネットワークを介して接続された前記複数の院内端末からの検査依頼情報を基に検査情報を分析する検査情報分析方法であって、前記検査依頼受付サーバにより、前記複数の院内端末からの患者の検査データを含む検査依頼情報を受け付ける工程と、前記検査結果分析サーバにより、前記検査依頼受付サーバによって受け付けられた患者の検査依頼情報に含まれる検査データや医療機関外の検査データを集めて病態を分析する工程と、前記検査結果公開サーバにより、検査結果や前記検査結果分析サーバによって分析された分析結果及び診断支援情報を前記複数の院内端末に対して公開する工程とを有することを特徴とする。
また、検査結果保存サーバに検査結果や分析結果及び診断支援情報が保存される工程を有するようにすることができる。
本発明に係る検査情報分析システムでは、検査委託業者側に設置された検査依頼受付サーバ、検査結果分析サーバ、検査結果公開サーバと、複数の医療機関側に設置された複数の院内端末とを備え、検査依頼受付サーバ、検査結果分析サーバ、検査結果公開サーバは、ネットワークを介して複数の院内端末に接続されるようにし、検査依頼受付サーバにより、複数の院内端末からの患者の検査データを含む検査依頼情報を受け付け、検査結果分析サーバにより、検査依頼受付サーバによって受け付けられた患者の検査依頼情報に含まれる検査データや医療機関外の検査データを集めて病態を分析し、検査結果公開サーバにより、検査結果や検査結果分析サーバによって分析された分析結果及び診断支援情報を複数の院内端末に対して公開することができる。
【発明の効果】
【００１６】
本発明の検査情報分析システムは、検査依頼受付サーバにより、複数の院内端末からの患者の検査データを含む検査依頼情報を受け付け、検査結果分析サーバにより、検査依頼受付サーバによって受け付けられた患者の検査依頼情報に含まれる検査データや医療機関外の検査データを集めて病態を分析し、検査結果公開サーバにより、検査結果や検査結果分析サーバによって分析された分析結果及び診断支援情報を複数の院内端末に対して公開するようにしたので、患者に対する検査の判断、治療の方針、検査値の解釈や詳細な検査の方法、妥当性及び正確性の確認等を支援し、医療の進行を補助することができる。
【発明を実施するための最良の形態】
【００１７】
本発明は、医療機関側の院内端末と臨床検査の分析結果や次の詳細な検査及び診断のアドバイス等を与えるサーバとをネットワークで接続し、医療機関側からの問い合わせや確認等に対しオンラインで電子化された報告書等を送信するものである。これにより、患者に対する検査の判断、治療の方針、検査値の解釈や詳細な検査の方法、妥当性及び正確性の確認等を支援し、医療の進行を補助することができる。
【００１８】
サーバは、検査委託業者側にあってもよいし、医療機関内及びネットワーク上にあってもよい。複数の場所に設置された場合、それぞれのサーバには、同様のデータが蓄積され、そのデータが同期している状態が望ましい。ここで、データが同期しているとは、いずれかのデータが変更された場合、他のサーバ内の同じデータが同じ内容に変更されることである。また、通信プロトコルは患者データの送受信を行うため、ｈｔｔｐｓ（ＳＳＬ）やＶＰＮ等のように暗号化したプロトコルや通信方式を使用することが望ましい。
【００１９】
検査委託業者への検査の依頼は、検査依頼画面より医療機関側の医師等が入力する。検査結果は、ＨＴＭＬ形式で報告される。データはＸＭＬ形式で固有のタグを有しており、各データは個別に識別することが可能である。ＨＴＭＬ形式の報告書は、そのファイルからリンクを張ることができる。たとえば、検査項目をクリックすると検査情報が蓄積されているサーバのこれに該当する項目にリンクする。結果をクリックすると、検査の結果からその意義を蓄積しているデータベースへのアクセスが行われ、結果の解釈の補助が行われる。また、その検査結果とともに他の検査を送り込むとプログラムされた判定課程により、検査の結果の解釈が行われる。
【００２０】
サーバの構成としては、医療機関側の医師等からの患者の検査データを含む検査依頼情報を受け付けるサーバ、その検査データや医療機関外の検査データを集めて病態を分析するサーバ、分析された分析結果や診断支援情報等を公開するサーバ、分析された分析結果等を保存するサーバを備えることができる。なお、これらのサーバは、複数に限らず、１台に集約することも可能である。
【００２１】
検査依頼情報を受け付けるサーバは、検査委託業者へ臨床検査を依頼する前に必要なデータである臨床的意義、検査に必要な所用日数、検査を対象とする材料（血液等）、採血容器及び方法、検査を出すために必要な容器、検査方法、参考文献、関連検査項目、保険点数、レセプト情報等を検索することができる検査項目レファレンスや、疾患別に検査の結果から陽性陰性又は数値を当てはめることによりフローチャートのような判定を行いながら疾患の予想や詳細な検査をするのに必要な検査項目を選択することができる臨床検査ナビを提供する機能（ツール）を有している。
【００２２】
このようなツールを使用しながら、医療機関側の医師等は院内端末から検査を選択後、依頼する。検査依頼情報を受け付けるサーバが医療機関内にある場合には、検査委託業者内にあるサーバと同期し、検査委託業者側から依頼情報を取り出す。取り出す際は、医療機関内で検査する検査項目と、他社で検査を行う検査項目と、検査委託業者で検査を行う検査項目とを識別する。
【００２３】
また、医療機関の検査室の稼働状況により変化することがあるので、検査データには識別を付けておく。そして、検査委託業者分のみ取り出し、検査委託業者は別便で届く検査検体を受領後、検査を行う。検査が済むと検査結果を公開するサーバへ送信する。検査結果を公開するサーバが医療機関内にある場合には、医療機関内の検査室で検査が行われた結果とともに、検査委託業者からの検査データが蓄積される。そして、医療機関側の医師等が院内端末から患者の検査結果を参照することができる。
【００２４】
また、検査データを集めて病態を分析するサーバでは、医療機関側からの検査データと、検査委託業者内の検査データと、他社の検査データとを集め、系列データに変換し、病体の分析結果や診断支援情報の生成が行われる。
【００２５】
なお、医療機関側からの検査依頼情報は、パソコン等の院内端末に限らず、携帯電話やＦＡＸ等、いずれから送信されるようにしてもよい。電話であれば、音声なのでこれをテキストにしてサーバへ入力してもよいし、検査委託業者のオペレータがテキストへの変換及び保存を行ってもよい。ＦＡＸも同様である。また、これに応答する方法は、院内端末、電話、ＦＡＸ、メール等のいずれかの通信手段であれば何でもよい。
【００２６】
検査依頼画面は、検査委託業者が提供する所定のホームページにアクセスし、ログインする。院内端末のブラウザにはＳＲＬ−ＣＡ局が認証した証明証をインストールしておく必要がある。アクセスによって証明証の認証が行われ、正しければ、ログイン画面が表示される。そして、ログインＩＤとパスワードとを入力し、認証されれば、検査依頼画面が表示される。医療機関側の医師等は、患者名あるいはカルテ番号等の必要な条件を入力すると、患者の検査依頼画面が表示される。
【００２７】
そして、検査項目を入力することができるようになる。検査依頼画面には、検査項目を検索するための検査項目レファレンスを使用するボタンと、臨床症状から検査項目を選択したり検査結果から次の詳細な検査項目をどのように選択していくかを導く臨床検査ナビを使用するためのボタンとがある。画面上の履歴ボタンをクリックするとこれまでに完了した検査結果を表示することができる。必要な検査結果にレを付け、臨床検査ナビのボタンをクリックすると、その検査結果が臨床検査ナビに送信され、検査結果を分析するサーバで検査結果の分析が行われる。
【００２８】
検査結果が表示される検査結果参照画面には、検査項目、結果、コメント、基準値、結果のレンジが表示され、たとえば、ＨＣＶ抗体等の検査項目名称上からクリックすると検査項目レファレンスの該当項目へリンクが張られており、臨床検査に必要な情報が表示される。また、検査結果に関連する項目及びその項目の検査項目レファレンスへのリンク、項目の関連したリンク、問い合わせ先等が表示される。
【００２９】
検査結果参照画面は、検査委託業者が提供する所定のホームページにアクセスし、ログインする。そのＵＲＬにアクセスすると証明証の認証が行われ、正しければ、ログイン画面を表示する。ログインＩＤとパスワードを入力し、認証されれば、検査結果参照画面が表示される。医療機関側の医師等は、患者名あるいはカルテ番号等の必要な条件を入力すると、患者の検査結果が表示される。結果を表示する場合、年、月、日、時間等で並び替えを行う機能、単一検査項目の結果を時系列に並び替える機能等が存在する。また、関連した検査項目を並べ替える機能等がある。
【００３０】
また、サーバに取り込まれていない検査結果については別途入力することができる。それらの結果にレを付けて選択し、病態を分析するサーバへ送信することができる。画面上の病態を分析するサーバへの送信ボタンを押すと、選択された検査データが病態を分析するサーバへ送信され、検査データの解釈が行われる。分析は、臨床検査ナビをエンジンとして動作する。臨床検査ナビのエンジンには、さまざまな検査項目のデータが蓄積されており、基準値、ＲＯＣ曲線、判定基準、複数の検査項目の判定がフローチャート形式で行われる。
【００３１】
判定基準は、日本肝臓学会、日本消化器病学会等の多くの信頼できる学会からの判定基準により設定されている。医療機関側の医師等は、その判定基準や自らの経験を基準として診断に採用するか否かを自由に選択することができる。たとえば、男性、６８歳、飲酒歴なし、ＧＰＴ２１００、ＧＯＴ３２１０、ＨＣＶ抗体５５等という数値が病態を分析するサーバに送信された場合、臨床検査ナビのエンジンは、肝機能異常、ＨＣＶ感染を疑い、次に推奨する検査はＨＣＶ−ＲＮＡ検査と分析する。ＨＣＶ−ＲＮＡ検査が陽性の場合、ＨＣＶセロタイプを検査する必要があり、ＨＣＶセロタイプが１型の場合はインターフェロン治療の有効性が３０％程度、セロタイプが２型の場合はインターフェロン治療の有効性が６０％程度とした分析結果を、検査結果分析画面として医療機関側の院内端末に表示させる。
【００３２】
また、医療機関側の院内端末に表示された検査結果分析画面の検査項目にレを付けることで再び検査依頼することができる。また、その分析結果は、院内端末の検査結果分析画面より指定されたＦＡＸ、電子メール、電話、携帯電話等のいずれかで受け取るように選択することができる。
【００３３】
以上のように、検査依頼画面、検査結果参照画面、検査結果分析画面の３つの画面を切り換えながら、あるいは画面上に設定されたボタンをクリックしながら、医療機関側の医師等は容易に検査結果を参照し、病態を分析し、推奨される検査を分析し、再び検査依頼を繰り返し、リアルタイムに問い合わせの結果を入手することができる。
【００３４】
（実施形態１）
図１は、本発明の検査情報分析システムの実施形態１に係る概要を説明するための図、図２は、図１の検査情報分析システムにおける検査情報分析方法を説明するためのフローチャート図である。
【００３５】
図１に示すように、実施形態１では、検査委託業者側の検査依頼受付サーバ１０１、検査結果分析サーバ１０２、検査結果公開サーバ１０３、検査結果保存サーバ１０４と、Ａ病院側の院内端末２０１〜２０３と、Ｂ病院側の院内端末３０１〜３０３とを備えている。
【００３６】
また、これら検査依頼受付サーバ１０１、検査結果分析サーバ１０２、検査結果公開サーバ１０３、検査結果保存サーバ１０４と、Ａ病院側の院内端末２０１〜２０３及びＢ病院側の院内端末３０１〜３０３とは、ネットワーク４００を介して相互に通信できるようになっている。ネットワーク４００としては、インターネット、専用回線、無線回線等を使用することができる。
【００３７】
検査依頼受付サーバ１０１は、Ａ病院側の院内端末２０１〜２０３と、Ｂ病院側の院内端末３０１〜３０３とからの患者の検査データを含む検査依頼情報を受け付ける機能を有している。検査結果分析サーバ１０２は、検査依頼受付サーバ１０１によって受け付けられた患者の検査依頼情報に含まれる検査データや医療機関外の検査データを集めて病態を分析する機能を有している。
【００３８】
検査結果公開サーバ１０３は、検査結果や検査結果分析サーバ１０２によって分析された分析結果及び診断支援情報等を公開する機能を有している。検査結果保存サーバ１０４は、検査結果や検査結果分析サーバ１０２によって分析された分析結果及び診断支援情報等を保存する機能を有している。
【００３９】
なお、これらの検査依頼受付サーバ１０１、検査結果分析サーバ１０２、検査結果公開サーバ１０３、検査結果保存サーバ１０４は、複数に限らず、１台に集約することも可能である。
【００４０】
Ａ病院側の院内端末２０１〜２０３及びＢ病院側の院内端末３０１〜３０３は、ネットワーク４００を介して相互に通信できる機能を有している。院内端末２０１〜２０３及び院内端末３０１〜３０３としては、デスクトップパソコン、ノートパソコン、ＰＤＡ、携帯電話等を用いることができる。
【００４１】
次に、このような構成の検査情報分析システムにおける検査情報分析方法について説明する。なお、以下の説明においては、Ａ病院側の院内端末２０１〜２０３及びＢ病院側の院内端末３０１〜３０３が医師によって操作されるものとする。また、説明の便宜上、医師は、院内端末２０１を操作するものとする。
【００４２】
まず、図２に示すように、医師が院内端末２０１を操作して検査委託業者へ検査を依頼する場合、検査委託業者が提供するホームページへのアクセスを行う（ステップＳ１）。ここで、そのホームページは、検査依頼受付サーバ１０１によって提供するようにすることができる。
【００４３】
また、院内端末２０１内のブラウザには、上述したＳＲＬ−ＣＡ局が認証した証明証がインストールされているものとし、ログインＩＤとパスワードとを入力し、認証されれば、検査依頼画面、検査結果参照画面、検査結果分析画面が表示される（ステップＳ２〜Ｓ４）。これらの検査依頼画面、検査結果参照画面、検査結果分析画面は、１ページ内に小さく表示させておいて、クリックにより選択された検査依頼画面、検査結果参照画面、検査結果分析画面のいずれかが拡大されるようにしてもよい。
【００４４】
ここで、検査依頼画面が選択されると（ステップＳ５）、その画面が拡大表示される。その検査依頼画面には、検査項目を選択する画面（検査項目レファレンス）がある。その画面には、臨床的意義、検査に必要な所用日数及び保険点数情報、検査方法、採血容器、必要採血量、関連項目等の検査に必要な項目が表示される。そして、医師がいずれかの項目を選択することで、それぞれの項目に対応する必要な情報を閲覧することができる（ステップＳ６）。また、その検査依頼画面から患者名あるいはカルテ番号等の必要な情報を入力すると、その患者に対する検査依頼画面が表示される（ステップＳ７）。
【００４５】
そして、検査項目を入力することができるようになる。検査依頼画面には、検査項目を検索するための検査項目レファレンスを使用するボタンと、臨床症状から検査項目を選択したり検査結果から次の詳細な検査項目をどのように選択していくかを導く臨床検査ナビを使用するためのボタンとがある。また、検査依頼画面上の履歴ボタンをクリックすると、これまでに完了した検査結果を表示することができる。そして、必要な検査結果にレを付け、臨床検査ナビのボタンをクリックすると、その検査結果が臨床検査ナビに送信され、検査結果分析サーバ１０２で検査結果データの分析が行われる。
【００４６】
また、検査結果参照画面が選択されると（ステップＳ８）、その画面が拡大表示される。検査結果参照画面には、検査項目、結果、コメント、基準値、結果のレンジが表示され（ステップＳ９）、たとえば、ＨＣＶ抗体等の検査項目名称上からクリックすると、検査項目レファレンスの該当項目へリンクが張られており、臨床検査に必要な情報が表示される。また、検査結果に関連する項目及びその項目の検査項目レファレンスへのリンク、項目の関連したリンク、問い合わせ先等が表示される。
【００４７】
検査結果参照画面では、患者名あるいはカルテ番号等の必要な情報を入力すると、その患者の検査結果が表示される。検査結果は、年、月、日、時間等で並び替えたり、単一検査項目の結果を時系列に並び替えたりすることができる。
【００４８】
また、検査結果分析画面が選択されると（ステップＳ１０）、その画面が拡大表示される。検査結果分析画面には、検査結果分析サーバ１０２によって分析された分析結果や診断支援情報が表示される（ステップＳ１１）。ここで、診断支援情報とは、上述したように、患者に対する検査の判断、治療の方針、検査値の解釈や詳細な検査の方法、妥当性及び正確性の確認等を支援し、医療の進行を補助するための情報である。分析は、上述したように、臨床検査ナビをエンジンとして動作するものであって、基準値、ＲＯＣ曲線、判定基準、複数の検査項目の判定がフローチャート形式で行われる。
【００４９】
判定基準は、上述したように、日本肝臓学会、日本消化器病学会等の多くの信頼できる学会からの判定基準により設定されている。ここで、医師は、その判定基準や自らの経験を基準として診断に採用するか否かを自由に選択することができる。
【００５０】
たとえば、男性、６８歳、飲酒歴なし、ＧＰＴ２１００、ＧＯＴ３２１０、ＨＣＶ抗体５５等という数値が検査依頼情報として送信されたとする。この場合、臨床検査ナビのエンジンにより、肝機能異常やＨＣＶ感染が疑われ、次に推奨する検査はＨＣＶ−ＲＮＡ検査と分析される。さらに、ＨＣＶ−ＲＮＡ検査が陽性の場合、ＨＣＶセロタイプを検査する必要があり、ＨＣＶセロタイプが１型の場合はインターフェロン治療の有効性が３０％程度、セロタイプが２型の場合はインターフェロン治療の有効性が６０％程度とした病体の分析結果や診断支援情報が得られる。
【００５１】
このように、医師は、院内端末２０１の検査依頼画面、検査結果参照画面、検査結果分析画面の３つの画面を切り換えながら、あるいは画面上に設定されたボタンをクリックしながら、検査結果や分析結果を閲覧することができる。また、その検査結果や分析結果を基に、検査依頼画面から再び検査依頼を繰り返すことで、リアルタイムに問い合わせの結果を入手することができる。
【００５２】
なお、これらの検査結果や分析結果は、院内端末２０１の画面より指定されたＦＡＸ、電子メール、電話、携帯電話等のいずれかで受け取るように選択することができる。
【００５３】
このように、実施形態１では、検査委託業者側に検査依頼受付サーバ１０１、検査結果分析サーバ１０２、検査結果公開サーバ１０３、検査結果保存サーバ１０４を設置し、ネットワーク４００を介してＡ病院側の院内端末２０１〜２０３と、Ｂ病院側の院内端末３０１〜３０３とが接続されるようにし、検査依頼受付サーバ１０１により、複数の院内端末２０１〜２０３，３０１〜３０３からの患者の検査データを含む検査依頼情報を受け付け、検査結果分析サーバ１０２により、検査依頼受付サーバ１０１によって受け付けられた患者の検査依頼情報に含まれる検査データや医療機関外の検査データを集めて病態を分析し、検査結果公開サーバ１０３により、検査結果や検査結果分析サーバ１０２によって分析された分析結果及び診断支援情報を複数の院内端末２０１〜２０３，３０１〜３０３に対して公開するようにし、検査結果保存サーバにより、検査結果や分析結果及び診断支援情報が保存されるようにしたので、患者に対する検査の判断、治療の方針、検査値の解釈や詳細な検査の方法、妥当性及び正確性の確認等を支援し、医療の進行を補助することができる。
【００５４】
また、実施形態１では、院内端末２０１〜２０３，３０１〜３０３がオンラインで検査依頼受付サーバ１０１、検査結果分析サーバ１０２、検査結果公開サーバ１０３、検査結果保存サーバ１０４に接続されているため、いつでも最新の検査結果のデータや臨床に関係する情報を得ることができる。
【００５５】
また、検査結果の問い合わせをする場合等の回答の方法を院内端末２０１〜２０３，３０１〜３０３によって指定できるため、手元に院内端末２０１〜２０３，３０１〜３０３がなくても、電話、携帯電話、ＦＡＸ、メール等の何らかの通信手段を１つ以上選択することにより、医師は容易に希望する情報を迅速に得ることができるようになる。
【００５６】
また、病院内の検査は、院内検査と外注検査に分かれているのが現状であるが、検査委託業者以外の検査結果データを取り込むことにより、検査委託業者の検査結果データと他の分析データとを合わせて分析することができるようになる。その結果、病態の分析から診断、さらには治療の過程までを検査委託業者と確認ながら進めていけるため、その過程において医療ミス等を事前に防止することも可能となる。
【００５７】
（実施形態２）
図３は、本発明の検査情報分析システムの実施形態２に係る概要を説明するための図である。
【００５８】
図３に示すように、実施形態２では、検査委託業者側に加え、Ａ病院側及びＢ病院側にも、検査依頼受付サーバ１０１Ａ，１０１Ｂ、検査結果分析サーバ１０２Ａ，１０２Ｂ、検査結果公開サーバ１０３Ａ，１０３Ｂ、検査結果保存サーバ１０４Ａ，１０４Ｂを備えている。
【００５９】
各検査依頼受付サーバ１０１Ａ，１０１Ｂ、検査結果分析サーバ１０２Ａ，１０２Ｂ、検査結果公開サーバ１０３Ａ，１０３Ｂ、検査結果保存サーバ１０４Ａ，１０４Ｂは、院内端末２０１〜２０３及び院内端末３０１〜３０３に対してＬＡＮにより接続されるようにしてもよい。
【００６０】
ここで、検査依頼受付サーバ１０１Ａ，１０１Ｂ、検査結果分析サーバ１０２Ａ，１０２Ｂ、検査結果公開サーバ１０３Ａ，１０３Ｂ、検査結果保存サーバ１０４Ａ，１０４Ｂは、検査委託業者側の検査依頼受付サーバ１０１、検査結果分析サーバ１０２、検査結果公開サーバ１０３、検査結果保存サーバ１０４とデータの同期がとられている。
【００６１】
データの同期は、一定の周期で行われる。周期は、１日一回であったり、１時間に一回であったりしてもよいが、いずれかのデータが更新された時にデータの同期がとられるようにすることが好ましい。
【００６２】
このような構成では、たとえばＡ病院内の医師が院内端末２０１を用いて検査依頼を行う場合、上述したように、検査委託業者が提供するホームページへのアクセスを行うことなく、検査依頼受付サーバ１０１Ａに直接アクセスすることができる。検査依頼受付サーバ１０１Ａにアクセスすると、上述したように、院内端末２０１に検査依頼画面が表示される。
【００６３】
検査依頼画面には、上述したように、検査項目を選択する画面（検査項目レファレンス）があり、臨床的意義、検査に必要な所用日数及び保険点数情報、検査方法、採血容器、必要採血量、関連項目等の検査に必要な項目が表示されるため、いずれかを選択することで必要な情報を閲覧することができる。
【００６４】
また、医師は必要に応じて、臨床検査ナビの画面を開き、前回の検査項目の分析結果に基づいた検査結果から、次の検査は何を依頼したらよいかを調べることができ、その検査項目の一覧から検査項目レファレンスで確認し、検査依頼を行うことができる。
【００６５】
また、医師は、患者の検査結果を、上述したように、院内端末２０１に表示される検査結果参照画面から参照することができる。患者の検査結果は、患者名、カルテ番号、依頼日、担当医名等の１つ以上のパラメータを入力することで希望する情報を参照することができる。
【００６６】
これにより、患者を特定することや、時や日等の系列データを表示することや、検査結果データの一覧表を表示することができる。問い合わせ画面を開くと患者の病態と各項目の検査データが挿入され、臨床検査ナビで判定させることや検査委託業者への問い合わせを自動的に行うことやその結果を表示することができる。また、その画面上から問い合わせに対する回答の方法を指定でき、院内端末２０１の画面から医師により参照する方法、医師の携帯電話に連絡する方法、ファックスで連絡する方法、電子メールで配信する方法等を選択することができる。
【００６７】
医師は、上記の２つの工程を繰り返し行い、患者の病態と検査の結果から診断を行うことができる。また、診断後、薬剤の投与等により病態が変化する状態を検査結果から読みとり治療効果を見ることもできる。
【００６８】
このように、実施形態２では、検査委託業者側に加え、Ａ病院側及びＢ病院側にも、検査依頼受付サーバ１０１Ａ，１０１Ｂ、検査結果分析サーバ１０２Ａ，１０２Ｂ、検査結果公開サーバ１０３Ａ，１０３Ｂ、検査結果保存サーバ１０４Ａ，１０４Ｂを備えるようにしたので、上述した効果に加え、ネットワーク４００を介して検査委託業者側にアクセスする必要がなくなるばかりか、検査依頼受付サーバ１０１Ａ，１０１Ｂ、検査結果分析サーバ１０２Ａ，１０２Ｂ、検査結果公開サーバ１０３Ａ，１０３Ｂ、検査結果保存サーバ１０４Ａ，１０４Ｂ内のデータをＡ病院側及びＢ病院側独自のものとして用いることができる。
【００６９】
（実施形態３）
図４は、本発明の検査情報分析システムの実施形態３に係る概要を説明するための図である。
【００７０】
図４に示すように、実施形態３では、検査委託業者側に加え、ネットワーク４００上に検査依頼受付サーバ１０１Ｃ、検査結果分析サーバ１０２Ｃ、検査結果公開サーバ１０３Ｃ、検査結果保存サーバ１０４Ｃを備えている。
【００７１】
ここで、ネットワーク４００上の検査依頼受付サーバ１０１Ｃ、検査結果分析サーバ１０２Ｃ、検査結果公開サーバ１０３Ｃ、検査結果保存サーバ１０４Ｃは、検査委託業者側の検査依頼受付サーバ１０１、検査結果分析サーバ１０２、検査結果公開サーバ１０３、検査結果保存サーバ１０４とデータの同期がとられている。
【００７２】
データの同期は、一定の周期で行われる。周期は、１日一回であったり、１時間に一回であったりしてもよいが、いずれかのデータが更新された時にデータの同期がとられるようにすることが好ましい。
【００７３】
このような構成では、医師は、院内端末２０１の画面からネットワーク４００上にある検査依頼受付サーバ１０１Ｃへ検査を依頼することができる。院内端末２０１に表示される検査依頼画面には、上述したように、検査項目を選択する画面（検査項目レファレンス）があり、臨床的意義、検査に必要な所用日数及び保険点数情報、検査方法、採血容器、必要採血量、関連項目等検査に必要な項目が表示されるため、いずれかを選択することで、必要な情報を閲覧することができる。
【００７４】
また、医師は必要に応じて、臨床検査ナビの画面を開き、前回の検査項目の分析結果に基づいた結果から次の検査は何を依頼したらよいか調べることができ、その検査項目一覧から検査項目レファレンスで確認し、ネットワーク４００上にある検査依頼受付サーバ１０１Ｃへ検査の依頼を行うことができる。
【００７５】
また、医師は、院内端末２０１によるネットワーク４００上にある検査結果公開サーバ１０３Ｃへのアクセスにより、検査結果を参照することができる。ここでのデータの検索は、上述したように、患者名、カルテ番号、依頼日、担当医名等の１つ以上のパラメータを入力することで希望する情報を調査することができる。
【００７６】
これにより、患者を特定することや、時や日等の系列データを表示することや、検査結果データの一覧表を表示することができる。問い合わせ画面を開くと患者の病態と各項目の検査データが挿入され、臨床検査ナビで判定させることや検査委託業者への問い合わせを自動的に行うことやその結果を表示することができる。また、その画面上から問い合わせに対する回答の方法を指定でき、院内端末２０１の画面から医師により参照する方法、医師の携帯電話に連絡する方法、ファックスで連絡する方法、電子メールで配信する方法等を選択することができる。
【００７７】
医師は、上記の２つの工程を繰り返し行い、患者の病態と検査の結果から診断を行うことができる。また、診断後、薬剤の投与等により病態が変化する状態を検査結果から読みとり治療効果を見ることもできる。
【００７８】
このように、実施形態３では、検査委託業者側に加え、ネットワーク４００上に検査依頼受付サーバ１０１Ｃ、検査結果分析サーバ１０２Ｃ、検査結果公開サーバ１０３Ｃ、検査結果保存サーバ１０４Ｃを備えるようにしたので、上述した効果に加え、検査委託業者側の検査依頼受付サーバ１０１、検査結果分析サーバ１０２、検査結果公開サーバ１０３、検査結果保存サーバ１０４までの回線に障害が起きた場合、ネットワーク４００上の検査依頼受付サーバ１０１Ｃ、検査結果分析サーバ１０２Ｃ、検査結果公開サーバ１０３Ｃ、検査結果保存サーバ１０４Ｃへのアクセスが行われるため、ネットワーク障害の対策を万全とすることができる。
【００７９】
なお、実施形態３では、検査委託業者側に加え、ネットワーク４００上に検査依頼受付サーバ１０１Ｃ、検査結果分析サーバ１０２Ｃ、検査結果公開サーバ１０３Ｃ、検査結果保存サーバ１０４Ｃを備えるようにした場合について説明したが、この例に限らず、ネットワーク４００上のみに検査依頼受付サーバ１０１Ｃ、検査結果分析サーバ１０２Ｃ、検査結果公開サーバ１０３Ｃ、検査結果保存サーバ１０４Ｃを備えるようにしてもよい。
【００８０】
ことように、ネットワーク４００上に検査依頼受付サーバ１０１Ｃ、検査結果分析サーバ１０２Ｃ、検査結果公開サーバ１０３Ｃ、検査結果保存サーバ１０４Ｃを備えることで、さらに複数の医療機関側の医師等へ公開情報を提供することができる。
【００８１】
（具体的事例）
たとえば、患者Ｋは体の不調で医師Ｉの診察を受けた。患者Ｋはここ一ヶ月、体の怠さと体重減少を主張すると、医師Ｉは頭髪の生えぎわや目の状態を観察し、多少の黄疸を確認した。患者Ｋには飲酒歴があり、１リッター／日の量を接種していた。腹部を触診すると肝臓は腫れており、肝炎を疑った。
【００８２】
医師は、検査依頼書により、ＧＰＴ、ＧＯＴ、ＣＲＰ等の生化学検査とＨＢＶ及びＨＣＶの抗体を依頼した。２日後、再び患者Ｋは医師Ｉの診察を受けた。検査の結果は、ＧＰＴ１０２４、ＧＯＴ２１２８、ＣＲＰ１３６ｍｇ／ｄｌ、ＨＢＶ０、ＨＣＶ１．４という数字であった。医師は、予想したと通り肝機能の異常を示す数値が高く、ＨＣＶ抗体が擬陽性を示していると解釈した。
【００８３】
医師は、検査結果分析画面を表示し、院内で検査したＧＰＴ１０２４、ＧＯＴ２１２８、ＣＲＰ１３６ｍｇ／ｄｌのデータをこれに貼り付け、ＨＣＶ抗体の検査結果とともに分析を行った。検査結果分析画面には、ＨＣＶ抗体検査について通常よりも測定感度が高い検査法で検査することを医師に勧める診断支援情報が表示されている。医師は、その診断支援情報を基に患者に対して検査を行った結果、患者の肝臓で炎症が起こっていることを確認した。医師は患者へ肝炎であることを宣言し、その原因をさらに検査していくことを説明した。
【００８４】
検査結果分析画面には、次に推奨する検査として、ＨＣＶ−ＲＮＡと高感度なＨＣＶ抗体検査とが示されており、さらに日本肝臓学会の治療指針として示されている。これらの診断支援情報は、医師の治療指針と一致していたので、医師はこれら２つの検査を依頼した。翌日、検査委託業者より、医師に検査結果が出たことがたとえばメールにて通知された。医師は、検査結果分析画面から分析結果を参照すると、ＨＣＶ−ＲＮＡは陽性、ＨＣＶ抗体は陽性を示していることを確認した。
【００８５】
さらに翌日、患者Ｋは診察を受け、ＨＣＶと診断された。医師は、患者に家族歴と渡航歴を確認し、家族に同症状がないこと、輸血歴がないこと、過去１ヶ月以内に海外旅行をしたことを確認した。また、検査結果分析画面から今までの分析結果データを追加して送信した。
【００８６】
そして、分析結果として、ＨＣＶ−ＲＮＡ定量検査、ＨＣＶ−セロタイプ検査を推奨する診断支援情報が表示された。同時に同検査の臨床的意義、検査の所用日数、検体採取の方法や保険適用できるかどうかの確認ができた。さらに、医師は日本肝臓学会の治療指針のリンクボタンをクリックし、そのメッセージと治療指針とが正当であることを確認すると同時に、その検査結果分析画面を用いて患者への病態と治療方針を説明した。
【産業上の利用可能性】
【００８７】
人体の病体の分析や診断支援に限らず、動物の病体の分析や診断支援にも適用可能である。
【図面の簡単な説明】
【００８８】
【図１】本発明の検査情報分析システムの実施形態１に係る概要を説明するための図である。
【図２】図１の検査情報分析システムにおける検査情報分析方法を説明するためのフローチャート図である。
【図３】本発明の検査情報分析システムの実施形態２に係る概要を説明するための図である。
【図４】本発明の検査情報分析システムの実施形態３に係る概要を説明するための図である。
【符号の説明】
【００８９】
１０１，１０１Ａ，１０１Ｂ，１０１Ｃ  検査依頼受付サーバ
１０２，１０２Ａ，１０２Ｂ，１０２Ｃ  検査結果分析サーバ
１０３，１０３Ａ，１０３Ｂ，１０３Ｃ  検査結果公開サーバ
１０４，１０４Ａ，１０４Ｂ，１０４Ｃ  検査結果保存サーバ
２０１〜２０３，３０１〜３０３  院内端末
４００  ネットワーク
【図１】
2005165886.tif 000003
【図２】
2005165886.tif 000004
【図３】
2005165886.tif 000005
【図４】
2005165886.tif 000006